(57)【要約】【課題】小型かつ最適な把持性能を有する撮像装置を提供すること。【解決手段】グリップ部材の着脱可能なグリップ装着部が形成される撮像装置であって、前記グリップ装着部に装着された前記グリップ部材を係止する係止位置と、前記係止を解除する解除位置との間を移動するロック部材と、一部分が前記グリップ装着部の投影面内に配置され、前記ロック部材と係合することで前記ロック部材を前記解除位置に保持する保持部材と、を有し、前記グリップ部材が前記グリップ装着部に装着されることで、前記保持部材と前記ロック部材との係合が外れ、前記ロック部材が前記解除位置から前記係止位置に移動する。【選択図】図１０
2015118130.tif 000002
【特許請求の範囲】
【請求項１】
グリップ部材の着脱可能なグリップ装着部が形成される撮像装置であって、
前記グリップ装着部に装着された前記グリップ部材を係止する係止位置と、前記係止を解除する解除位置との間を移動するロック部材と、
一部分が前記グリップ装着部の投影面内に配置され、前記ロック部材と係合することで前記ロック部材を前記解除位置に保持する保持部材と、を有し、
前記グリップ部材が前記グリップ装着部に装着されることで、前記保持部材と前記ロック部材との係合が外れ、前記ロック部材が前記解除位置から前記係止位置に移動することを特徴とする撮像装置。
【請求項２】
前記ロック部材には、前記保持部材の前記グリップ装着部の投影面内に配置される部分と前記グリップ装着部の投影面内で重なるように配置される腕部が形成され、
前記グリップ部材が正規の装着方向で前記グリップ装着部に装着されない場合には、前記グリップ部材が前記腕部に当接し、前記保持部材と前記ロック部材との係合が外れないことを特徴とする請求項１に記載の撮像装置。
【請求項３】
前記ロック部材を前記係止位置に向けて付勢する付勢部材を更に有し、
前記保持部材は、前記付勢部材の付勢力に抗して前記ロック部材を前記解除位置に保持することを特徴とする請求項１または２に記載の撮像装置。
【請求項４】
開閉可能な蓋体と、を有し、
前記蓋体が閉状態となるときに、前記蓋体で覆われる部分に前記ロック部材の操作部が配置され、
前記操作部が操作されることで、前記付勢部材の付勢力に抗して前記ロック部材が前記係止位置から前記解除位置に移動し、前記保持部材が前記ロック部材を前記解除位置に保持することを特徴とする請求項２または３に記載の撮像装置。
【請求項５】
前記ロック部材が前記係止位置から前記解除位置に移動する際に、前記保持部材の前記グリップ装着部の投影面内に配置される部分が、前記グリップ部材を前記グリップ装着部から排出する方向に押圧することを特徴とする請求項１から４のいずれか１項に記載の撮像装置。
【請求項６】
請求項１から５のいずれか１項に記載の撮像装置に着脱可能なグリップ部材であって、
撮像装置に装着される際に前記保持部材の前記グリップ装着部の投影面内に配置される部分を押圧する突出部を有することを特徴とするグリップ部材。
【発明の詳細な説明】
【技術分野】
【０００１】
本発明は、撮像装置に関する。
【背景技術】
【０００２】
一眼レフカメラは、光軸上に可動ミラー、シャッター装置、撮像センサーが配置されており、また、撮影の目的に応じてレンズを選択的に装着することができる。
【０００３】
上記構成では、レンズマウントとシャッター装置との間にミラーボックスを備えているため、カメラボディの光軸方向の厚さ寸法を小さくすることが困難となっている。そこで、特許文献１に示されるように、ファインダーとミラーボックスを排除することで、小型化に特化したミラーレスタイプの一眼カメラの普及が進んでいる。
【先行技術文献】
【特許文献】
【０００４】
【特許文献１】特開２０１１-６５１４７号公報
【発明の概要】
【発明が解決しようとする課題】
【０００５】
しかしながら、特許文献１の一眼レフカメラでは、大型のレンズを取り付けた際のグリップ性能を割りきるか、大型のレンズを取り付けた際に、十分なグリップ性能を確保するためにグリップを大きくし、小型化を割りきるか、いずれかの選択をする必要がある。すなわち、小型化のためにグリップを小さくすると、大型のレンズを取り付けた際の把持性能が低下し、逆に、グリップを大きくすると、本体が大型化する。
【０００６】
このような課題を鑑みて、本発明は、小型かつ最適な把持性能を有する撮像装置を提供することを目的とする。
【課題を解決するための手段】
【０００７】
本発明の一側面としての撮像装置は、グリップ部材の着脱可能なグリップ装着部が形成される撮像装置であって、前記グリップ装着部に装着された前記グリップ部材を係止する係止位置と、前記係止を解除する解除位置との間を移動するロック部材と、一部分が前記グリップ装着部の投影面内に配置され、前記ロック部材と係合することで前記ロック部材を前記解除位置に保持する保持部材と、を有し、前記グリップ部材が前記グリップ装着部に装着されることで、前記保持部材と前記ロック部材との係合が外れ、前記ロック部材が前記解除位置から前記係止位置に移動することを特徴とする。
【発明の効果】
【０００８】
本発明によれば、小型かつ最適な把持性能を有する撮像装置を提供することができる。
【図面の簡単な説明】
【０００９】
【図１】本発明の実施形態に係る撮像装置を表す図である。
【図２】撮像装置にグリップとレンズを装着した状態を表す図である。
【図３】撮像装置の正面図である。
【図４】レンズを背面から見た斜視図である。
【図５】撮像装置の構造を表す図である。
【図６】撮像装置内部の構造を表した要部の斜視図である。
【図７】撮像装置内部の構造を表した要部の分解斜視図である。
【図８】グリップ装着ユニットの構成を表す分解斜視図である。
【図９】グリップ装着ユニットをバッテリ収納部側から見た図である。
【図１０】グリップ装着ユニットをバッテリ収納部側から見た図である。
【図１１】グリップ装着ユニットの要部の斜視図である。
【図１２】グリップ装着ユニットを撮像装置本体の正面側から見た図である。
【図１３】小型グリップを表す図である。
【図１４】大型グリップを表す図である。
【図１５】小型グリップを撮像装置本体に装着する様子を説明する斜視図である。
【図１６】小型グリップをグリップ装着ユニット装着する様子を説明する斜視図である。
【図１７】グリップ取り外し動作を説明する斜視図である。
【図１８】グリップ取り外し時の撮像装置本体の底面図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は、本発明の実施形態に係る撮像装置と、撮像装置に着脱可能なレンズとグリップを表す図である。
【００１２】
本実施形態では、撮像装置本体１０に、サイズの異なる小型の単焦点レンズ２０と、大型のズームレンズ３０を選択的に装着することができる。また、レンズの大きさに合わせて、撮像装置本体１０に、小型のグリップ４０と、グリップ４０よりも大型のグリップ５０を、後述するグリップ装着部によって、選択的に装着可能とすることで、最適な把持性能を発揮することが可能となる。
【００１３】
図２は、撮像装置本体１０にグリップとレンズを装着した状態を表す図である。図２（ａ）は、小型の単焦点レンズ２０に合わせて、小型のグリップ４０を装着した状態を表す図である。また、図２（ｂ）は、大型のズームレンズ３０に合わせて、大型のグリップ５０を装着した状態を表す図である。
【００１４】
以下、本実施形態におけるグリップとレンズの着脱手段について詳しく説明を行う。
【００１５】
始めに、撮像装置本体とレンズの構成について説明を行う。図３は、レンズとグリップが装着されていない状態の撮像装置本体１０の正面図である。図４は、ズームレンズ３０を背面から見た斜視図である。
【００１６】
撮像装置本体１０は、レンズ装着面であるマウント１００、撮像センサー１０１、信号処理回路が実装された制御基板および制御基板に電気的に接続されているレンズとの接点ピン１０２を有している。
【００１７】
マウント１００は、中央に孔１００２を有するドーナツ状に形成されており、内側に凸となる本体爪部１００１が３か所に等間隔で設けられている。
【００１８】
レンズリリースボタン１０３は、マウント１００の近傍に設けられている。また、マウント１００には、レンズリリースボタン１０３の動作に連動して、マウント１００の面から進退するレンズロックピン１０４が設けられている。レンズリリースボタン１０３とレンズロックピン１０４は、ばね（不図示）によって、常に紙面表側に付勢されている。すなわち、レンズロックピン１０４は、図３の状態で、マウント１００の面から凸の状態となっている。
【００１９】
ズームレンズ３０は、レンズ内部の制御基板（不図示）に電気的に接続された端子３０２と、レンズマウント３００と、を有している。
【００２０】
レンズマウント３００は、周囲に対して中央側が凸となる階段状に形成されており、中央にマウント１００に形成された孔１００２に対応する径を有する第１の凸円筒部３００２が設けられている。第１の凸円筒部３００２には、第２の凸円筒部３００３が設けられている。また、レンズマウント３００の周囲には、レンズロックピン１０４が係合する大きさの穴３０４が設けられている。
【００２１】
レンズ爪部３００１は、第２の凸円筒部３００３の外周から外側に張り出すように等間隔で配置されている。隣り合うレンズ爪部３００１同士の隙間は、マウント１００に設けられた本体爪部１００１の幅よりも、わずかに広く設定されている。また、レンズマウント面からレンズ爪部３００１の裏側までの光軸方向の距離は、本体マウント面から本体爪部１００１の裏側までの距離よりも、わずかに広く設定されている。
【００２２】
次に、撮像装置本体へのレンズ装着方法について説明を行う。本実施形態では、撮像装置本体へのレンズの装着は、マウント１００とレンズマウント３００によるバヨネット方式によって１アクション操作にて行われる。
【００２３】
すなわち、マウント１００の本体爪部１００１の隙間に、レンズマウント３００のレンズ爪部３００１が挿入される位置で、マウント１００に形成された孔１００２に、第２の凸円筒部３００３を挿入する。その際、マウント１００とレンズマウント３００を密着させるため、レンズマウント３００がレンズロックピン１０４をマウント１００の面まで押し込む。
【００２４】
その後、図１に示される矢印の方向に、ズームレンズ３０を回転させると、レンズ爪部３００１が本体爪部１００１の後ろ側に潜り込む。これにより、ズームレンズ３０の光軸方向への移動が規制される。
【００２５】
さらに回転を続けると、レンズロックピン１０４がレンズマウント３００に形成された穴３０４に落ち込み、ズームレンズ３０の回転が規制される。このようにして、レンズの装着が完了する。
【００２６】
このとき、同時に、撮像装置本体１０側の接点ピン１０２と、ズームレンズ３０側の端子３０２が接触することで電気的に接続される。そのため、撮像装置本体１０とズームレンズ３０の間で、撮像装置本体１０からの駆動信号や、ズームレンズ３０からの情報の通信が可能になる。
【００２７】
続いて、レンズの取り外し方法について説明を行う。本実施形態におけるレンズの取り外しは、レンズリリースボタン１０３の押圧操作と、レンズの回転による２アクションの動作にて行われる。
【００２８】
すなわち、レンズが取り付いた図２の状態から、操作部材１０３の押圧を行う。これに連動してレンズロックピン１０４がマウント面まで押し下げられる。これによって、レンズロックピン１０４がレンズマウント３００に形成された穴３０４から抜け出し、ズームレンズ３０の回転動作が可能となる。
【００２９】
レンズリリースボタン１０３が押圧された状態で、反時計回りにズームレンズ３０を回転させると、撮像装置本体１０側の接点ピン１０２とズームレンズ３０側の端子３０２との電気的接続が解除される。
【００３０】
この状態から、さらにズームレンズ３０を回転させると、レンズ爪部３００１が本体爪部１００１のない隙間部に位置することで、ズームレンズ３０の光軸方向への規制がなくなる。そのため、ズームレンズ３０の取り外しを行うことができる。
【００３１】
このように、本実施形態では、バヨネット方式によってレンズを１アクションで簡単に装着することが可能となっている。また、レンズの取り外しは、ユーザーの意図しない取り外しが行われないよう２アクションの動作によって行うことができる。
【００３２】
なお、ズームレンズ３０の着脱操作について説明を行ったが、単焦点レンズ２０の着脱操作においても同様である。
【００３３】
続いて、グリップ着脱手段について説明を行う。始めに、グリップ着脱手段に関わる撮像装置本体とグリップの構成について説明を行う。
【００３４】
図５は、撮像装置本体１０の構造を表す斜視図である。図６は、撮像装置本体１０内部の構造を表した要部の斜視図である。図７は、撮像装置本体１０内部の構造を表した要部の分解斜視図である。
【００３５】
図５に示されるように、撮像装置本体１０には、グリップ５０側の底面に開閉可能な蓋体７０１が設けられている。蓋体７０１は、図５（ａ）に示す方向にスライド動作後、図５（ｂ）に示す方向に回動させることで、開状態となる。蓋体７０１が開状態となると、撮像装置本体１０への電源供給用のバッテリ（電池）７０２と、撮影画像の記録を行う記録媒体７０３が挿入可能になる。
【００３６】
バッテリ収納部７０５は、バッテリ７０２と記録媒体７０３の収納部であり、撮像装置本体１０に対して固定されている。制御基板１０６０には、撮像センサー１０１が実装されており、また、バッテリ７０２と記録媒体７０３とを制御基板１０６０に電気的に接続するコネクタ（不図示）を備えている。
【００３７】
図７に示されるように、グリップ装着ユニット６０は、固定ビス６００１によって、バッテリ収納部７０５の上面７０５１に対して裏側よりネジ止めされている。
【００３８】
次に、グリップ装着ユニット６０の構成について図８、９を用いて詳しく説明を行う。図８は、グリップ装着ユニット６０の分解斜視図である。図９は、グリップ装着ユニット６０をバッテリ収納部７０５側から見た図である。図９（ａ）は、ベース部材６０１に第１のロックレバー６０２と、第２のロックレバー６０３が組み込まれた状態を表している。図９（ｂ）は、グリップ装着ユニット６０にコイルばね６０４が組み込まれた状態を表している。
【００３９】
グリップ装着ユニット６０は、ベース部材６０１と、第１のロックレバー６０２と、第２のロックレバー６０３と、コイルばね６０４と、板ばね６０５と、固定ビス６０６と、ダンパー部材６０７と、を備えている。
【００４０】
ベース部材６０１は、合成樹脂材料によって箱形状に形成されている。ベース部材６０１には、第２のロックレバー６０３の回転中心となる軸６０１１と、大径頭部と小幅リブ部が連結したＴ字ボス６０１２と、ひっかけ部６０１３と、が形成されている。
【００４１】
第１のロックレバー６０２は、金属材料で形成され、略Ｌ字形状を有する。第１のロックレバー６０２には、操作部６０２０、第２のロックレバー６０３と係合する長孔６０２２、小径長孔部と大径孔部とが連結されたカギ孔６０２３、係合突起６０２５および腕部６０２６が形成されている。また、第１のロックレバー６０２には、ロック部６０２１、ストッパ６０２４、ひっかけ部６０２７および曲げ形状部６０２８が形成されている。カギ孔６０２３の大径孔部は、ベース部材６０１におけるＴ字ボス６０１２の大径頭部の外径より、わずかに大きく形成されている。また、カギ孔６０２３の小径長孔部の溝幅は、Ｔ字ボス６０１２の小幅リブ部より、わずかに大きく形成されている。
【００４２】
第２のロックレバー６０３は、金属材料で形成される。第２のロックレバー６０３には、ロック部６０３３、孔部６０３１および軸部６０３２が形成されている。第１のロックレバー６０２および第２のロックレバー６０３は、ロック部材として機能する。
【００４３】
コイルばね６０４には、弾性を有するコイルばね部６０４０と、コイルばね部を挟んだ両側に設けられたＵ字の第１および第２のフック形状６０４１、６０４２が形成されている。コイルばね６０４は、付勢部材として機能する。
【００４４】
ダンパー部材６０７は、低反発の発泡ウレタン材料で形成された弾性体である。
【００４５】
本実施形態では、まず、ダンパー部材６０７をベース部材６０１に組み付ける。ダンパー部材６０７は、ベース部材６０１に形成された穴部に圧入され、ダンパー部材６０７の復元力によって穴部に固定される。次に、第２のロックレバー６０３の孔部６０３１にベース部材６１１に設けられた軸６０１１を挿入する。これにより第２のロックレバー６０３は、軸６０１１を中心に回動自在となる。
【００４６】
第２のロックレバー６０３をベース部材６０１に取り付けた後、図９（ａ）に示されるように、第１のロックレバー６０２に形成されたカギ孔６０２３の大径孔部をＴ字ボス６０１２の大径頭部に合わせて挿入する。このとき、同時に、第２のロックレバー６０３の軸部６０３２を第１のロックレバー６０２の長孔６０２２に係合させる。このようにして、第１のロックレバー６０２は、ベース部材６０１に取り付けられる。
【００４７】
第１のロックレバー６０２をベース部材６０１に取り付けた後、コイルばね６０４を組み込むため、コイルばね６０４の第１のフック形状６０４１をベース部材６０１のひっかけ部６０１３にひっかける。その後、コイルばね６０４の第２のフック形状６０４２を第１のロックレバー６０２のひっかけ部６０２７にひっかける。第１のロックレバー６０２のひっかけ部６０２７にひっかけるためには、コイルばね６０４を図９（ａ）に示す自然状態より引き伸ばす必要がある。
【００４８】
引き伸ばされたコイルばね６０４の復元力により、第１のロックレバー６０２は、図９（ｂ）の矢印の方向に沿って図９（ａ）に示す位置から図９（ｂ）に示す位置まで移動する。これにともなって、第２のロックレバー６０３は、図９（ａ）に示す位置から図９（ｂ）に示す位置まで反時計回りに回動する。図９（ｂ）に示す位置では、第１のロックレバー６０２がダンパー部材６０７をわずかに潰し、第１のロックレバー６０２のストッパ６０２４がベース部材６０１のストッパ６０１５に当接する。このように、本実施形態では、第１のロックレバー６０２がベース部材６０１のストッパへ当接する前に、ダンパー部材６０７に当接することによって、衝突音の消音を行っている。
【００４９】
本実施形態では、第１のロックレバー６０２のカギ孔６０２３の小径長孔部に、ベース部材６０１のＴ字ボス６０１２の小幅リブ部が係合することで、第１のロックレバー６０２のスライド動作を規定している。また、本実施形態では、第１のロックレバー６０２のカギ孔６０２３の小径長孔部に対して、ベース部材６０１のＴ字ボス６０１２の大径頭部の外径を十分大きく形成しているので、図９（ｂ）に示す位置では、第１のロックレバー６０２はベース部材６０１から脱落することなく、ベース部材６０１に保持される。
【００５０】
本実施形態では、ベース部材６０１にリブ６０１４が形成されている。リブ６０１４は、先端がなめらかな凸形状に形成されている。図９（ｂ）に示されるコイルばね６０４をベース部材６０１に取り付けた状態で、リブ６０１４が、コイルばね６０４のコイルばね部６０４０に接触している。リブ６０１４をコイルばね部６０４０に接触させることで、コイルばね部６０４０が伸縮する際にベース部材６０１とコイルばね部６０４０がぶつかることによって発生するビビリ音を抑制している。
【００５１】
図１０は、グリップ装着ユニット６０をバッテリ収納部７０５側から見た図である。
【００５２】
板ばね６０５は、弾性変形可能な金属薄板にて形成されており、図８に示されるように、一端が折り曲げられた形状となっている。取り付け部６０５２には、ベース部材６０１に固定するためのビス孔と、グリップ装着ユニット６０を撮像装置本体１０に固定するための固定部６０５３が設けられている。これによって、取り付け部６０５２に対して隣り合う面である面部６０５５は取り付け部６０５２に対して弾性変形する。板ばね６０５は、保持部材として機能し、面部６０５５は、グリップ装着部の投影面内に配置される一部分として機能する。
【００５３】
図１０（ａ）に示されるように、板ばね６０５には、コイルばね６０４のコイルばね部６０４０を逃げる逃げ孔部６０５０が形成されている。そのため、板ばね６０５をベース部材６０１に取り付けた状態で、逃げ孔部６０５０からコイルばねのコイルばね部６０４０が露出する。
【００５４】
ここで、図８に示されるように、コイルばね６０４の第１および第２のフック形状６０４１、６０４２は、コイルばね部６０４０のコイル径を成す円の中心を通る平面内で形成されている。このため、コイルばね部６０４０を板ばね６０５の逃げ孔部６０５０から露出させることによって、逃げ孔部６０５０の上側で第１のフック形状６０４１を押さえ、第２のフック形状６０４２を板ばね６０５の逃げ孔部６０５０の下側で押さえることが可能となる。また、本実施形態では、板ばね６０５をベース部材６０１に取り付けた状態で、第１のロックレバー６０２に形成されているひっかけ部６０２７の突出高さは、板ばね６０５より高くなる。そのため、第２のフック形状６０４２がひっかけ部６０２７から外れることはない。
【００５５】
図８および図１０に示すように、板ばね６０５には、先端にＵ字形状の切り欠き部６０５１が設けられている。切り欠き部６０５１が形成されている面部６０５５は、ベース部材６０１への固定部である取り付け部６０５２に対して鋭角に曲げられている。これにより、板ばね６０５の面部６０５５は、ベース部材６０１に取り付けられた状態で第１のロックレバー６０２に向けて付勢されている。すなわち、板ばね６０５は図１１（ａ）に示す矢印の方向に第１のロックレバー６０２に向けて付勢され、板ばね６０５の面部６０５５の裏側が第１のロックレバー６０２に形成された係合突起６０２５先端に当接している。
【００５６】
続いて、グリップ装着ユニット６０の動作について詳しく説明を行う。
【００５７】
図１０（ａ）に示されるように、本実施形態のグリップ装着ユニット６０は、第１のロックレバー６０２を上下に移動させることが可能となっている。図１０（ｂ）は、第１のロックレバー６０２を図１０（ａ）の矢印方向に移動させた状態を表している。
【００５８】
ユーザーが、第１のロックレバー６０２の操作部６０２０を図１０（ａ）に示す状態から図１０（ａ）中の矢印方向に押し込むと、第１のロックレバー６０２に設けられた係合突起６０２５が板ばね６０５に当接した状態で、第１のロックレバー６０２が図１０（ａ）中の矢印方向に移動する。
【００５９】
そして、第１のロックレバー６０２の係合突起６０２５が、板ばねの切り欠き部６０５１と重なる位置まで第１のロックレバー６０２が移動すると、板ばね６０５の面部６０５５は、前述したように、板ばね６０５の付勢力によって、図１０における紙面奥側方向に移動する。すなわち、板ばね６０５の面部６０５５は、図１１（ａ）に示す矢印の方向に変形し、図１１（ｂ）に示す状態となる。これによって、板ばね６０５の切り欠き部６０５１の縁と、第１のロックレバー６０２の係合突起６０２５とが係合し、図１０（ｂ）の状態で保持される。このとき、第１のロックレバー６０２の長孔６０２２に挿入された第２のロックレバー６０３のレバーの軸部６０３２も同方向に移動する。これによって、第２のロックレバー６０３は、軸６０１１を中心に、図１０（ｂ）に示される矢印方向に回転する。
【００６０】
このように、図１０（ａ）の状態にて、ユーザーが第１のロックレバー６０２の操作部６０２０を押し込むことで、図１０（ａ）の状態から図１０（ｂ）の状態となり、第１のロックレバー６０２が板ばね６０５と係合する。そして、第１のロックレバー６０２は、図１０（ｂ）の状態で保持される。同時に、板ばね６０５の面部６０５５は、紙面奥側方向に、第１のロックレバー６０２に設けられた係合突起６０２５の高さ分だけ移動する。
【００６１】
図１０（ｂ）の状態においては、板ばね６０５の面部６０５５を紙面表側方向に移動させると、第１のロックレバー６０２と板ばね６０５との係合が外れる。そして、コイルばね６０４の復元力によって第１のロックレバー６０２が紙面下方向に移動し、図１０（ｂ）の状態から図１０（ａ）の状態となる。
【００６２】
すなわち、図１１（ｂ）に示される矢印方向に、外から荷重を印加し、板ばね６０５の面部６０５５を、板ばね６０５の復元力に抗して第１のロックレバー６０２に形成された係合突起６０２５の高さ分だけ移動させると、図１１（ｂ）の状態から図１１（ａ）の状態となる。
【００６３】
図１２は、グリップ装着ユニット６０を撮像装置本体１０の正面側から見た図である。図１２（ａ）は図１０（ａ）に示すグリップ装着ユニット６０を反対面側から見た状態を表しており、図１２（ｂ）は図１０（ｂ）に示すグリップ装着ユニット６０を反対面側から見た状態を表している。
【００６４】
ベース部材６０１には、グリップ部材を挿抜可能な開口（グリップ装着部）６０１０が形成されている。グリップ装着ユニット６０が図１０（ａ）および図１２（ａ）に示す状態となるときには、第１のロックレバー６０２のロック部６０２１および第２のロックレバー６０３のロック部６０３３が開口６０１０の投影面内に露出している。本実施形態では、この状態をグリップ装着ユニット６０の閉状態と呼ぶ。グリップ装着ユニット６０の閉状態では、第１のロックレバー６０２がコイルばね６０４の復元力によって移動し、板ばね６０５の面部６０５５が第１のロックレバー６０２の係合突起６０２５に重なることで、板ばね６０５の面部６０５５はチャージされている。グリップ装着ユニット６０が閉状態となるとき、第１のロックレバー６０２および第２のロックレバー６０３は、装着されたグリップを係止する係止位置に位置する。
【００６５】
また、グリップ装着ユニット６０が図１０（ｂ）および図１２（ｂ）に示す状態となるときには、第１のロックレバー６０２のロック部６０２１および第２のロックレバー６０３のロック部６０３３が開口６０１０の投影面内から退避している。この状態をグリップ装着ユニット６０の開状態と呼ぶ。グリップ装着ユニット６０の開状態では、第１のロックレバー６０２に設けられた係合突起６０２５が、板ばね６０５の切り欠き部６０５１と係合し、コイルばね６０４が自然状態に対して引き伸ばされ、チャージされている。グリップ装着ユニット６０が開状態となるとき、第１のロックレバー６０２および第２のロックレバー６０３は、装着されたグリップの係止を解除する解除位置に位置する。
【００６６】
次に、撮像装置本体に選択的に装着可能なグリップについて詳しく説明を行う。
【００６７】
まず、グリップの構成について説明を行う。図１３は、小型グリップ４０を表す図である。図１３（ａ）、（ｂ）は、それぞれ小型グリップ４０を裏側、側面から見た図を表している。図１４は、大型グリップ５０を表す図である。図１４（ａ）、（ｂ）は、それぞれ大型グリップ５０を裏側、側面から見た図を表している。小型グリップ４０または大型グリップ５０は、グリップ部材として機能する。
【００６８】
小型グリップ４０には、外観部４００と、上下端に形成された溝部４０１と、中央の片側側面に形成された凹形状４０３と、底面から突出形成されている突出部４０２と、を備えている。
【００６９】
大型グリップ５０には、摩擦係数が高い樹脂材料によって形成されたグリップ部５１と、金属板５２と、グリップ部５１と金属板５２とを固定するビス５３と、を備えている。
【００７０】
大型グリップ５０の上下端には、金属板５２とグリップ部５１によって形成された溝部５０１が設けられている。さらに、大型グリップ５０中央の片側の側面には、グリップ部５１の凹形状５０３と、金属板５２に形成された突出部５２１が設けられている。また、金属板５２には、突出部５２３が半抜きにて形成されている。
【００７１】
撮像装置本体に大きさの異なるグリップを選択的に取り付けられるようにした場合には、取り付けられるグリップの大きさにより、グリップに対する引き剥がし方向の静圧荷重のかかり方が異なる。そのため、本実施形態では、グリップの大きさによって、溝部４０１、５０１の構造を異ならせている。小さな静圧荷重しかかからない小型グリップ４０では、溝部４０１を一体成形することでコストダウンを図っている。大型グリップ５０では、大きな静圧荷重に耐えるため、グリップ部５１と、金属板５２の２部品にて溝部５０１を形成している。
【００７２】
例えば、図２（ｂ）に示す状態で、大型グリップ５０に引き剥がし方向の荷重を与えても、大型グリップ５０では、金属板５２にて静圧荷重を受けることができる。
【００７３】
また、撮像装置本体に大きさの異なるグリップを選択的に取り付けられるようにした場合には、装着されるグリップ先端のガタ量は、グリップの大きさによって異なる。そのため、本実施形態では、大型グリップ５０にのみ、突出部５２１によるガタ取り機構を設けている。
【００７４】
また、大型グリップ５０では、グリップ部５１と金属板５２の複数の材質を組み合わせて構成している。例えば、グリップ部５１をエラストマーなどの高い弾性を有する材料にて形成し、大型グリップ５０を撮像装置本体１０に装着した際に、グリップ部５１が弾性変形して撮像装置本体１０の外装カバーに密着させる。これによって、装着されるグリップのガタ量を小さくすることができる。
【００７５】
次に、グリップを撮像装置本体１０に装着するときの動作を説明する。図１５は、小型グリップ４０を撮像装置本体１０に装着する様子を説明する斜視図である。図１６は、小型グリップ４０をグリップ装着ユニット６０に装着する様子を説明する斜視図である。図１５、１６に示されるグリップ装着ユニット６０は、開状態となっている。
【００７６】
本実施形態における撮像装置本体１０への小型グリップ４０の装着は、図１５、１６に示すように、小型グリップ４０を開口６０１０に挿入することで行われる。すなわち、小型グリップ４０をベース部材の開口６０１０に挿入することで、小型グリップ４０の底面に形成される突出部４０２が開口６０１０から露出している板ばね６０５の面部６０５５に当接する。これによって、板ばね６０５の面部６０５５が図１６の矢印方向に押し込まれ、板ばね６０５の切り欠き部６０５１の縁と、第１のロックレバー６０２の係合突起６０２５との係合が解除される。コイルばね６０４の復元力によって第１のロックレバー６０２が移動するこのとき、第１のロックレバー６０２と板ばね６０５との係合が解除されると、コイルばね６０４の復元力によって第１のロックレバー６０２が移動し、グリップ装着ユニット６０は閉状態となる。グリップ装着ユニット６０が閉状態となると、小型グリップ４０の上下端に形成された溝部４０１に、グリップ装着ユニット６０のロック部６０２１、６０３３がそれぞれ係合する。これによって、小型グリップ４０の撮像装置本体１０への装着が完了する。
【００７７】
このとき、小型グリップ４０が意図しない挿入状態（例えば、上方向に傾けた状態）で開口６０１０に挿入された場合、ロック部６０２１、６０３３のうち片側のみが、小型グリップ４０の上下端に設けられた溝部４０１に係合する場合がある。そこで、本実施形態では、図１２に示されるように、開口６０１０から露出する板ばね６０５の面部６０５５の面積が小さくなるように、第１のロックレバー６０２の腕部６０２６が板ばね６０５の面部６０５５に重なるように配置している。すなわち、小型グリップ４０が斜めに挿入された場合では、小型グリップ４０の突出部４０２が板ばね６０５の面部６０５５を押し込むことができないため、グリップ装着ユニット６０が閉状態となることはない。
【００７８】
また、グリップの形状により上下反対方向に挿入された場合、十分なグリップ性能を発揮できない懸念がある。本実施形態では、小型グリップ４０の片側一方のみに、凹形状（規制部）４０３を設けている。そのため、小型グリップ４０が上下反対方向の向きで挿入された場合、突出部４０２が、第１のロックレバー６０２の腕部６０２６に邪魔され、板ばね６０５の面部６０５５を押し込むことができず、グリップ装着ユニット６０が閉状態となることはない。
【００７９】
なお、上述した構造は、大型グリップ５０においても同様である。
【００８０】
また、本実施形態では、大型グリップ５０にのみガタ取りの機構を設けている。図１４に示されるように、大型グリップ５０には、突出部５２１が形成されている。また、図１２に示されるように、腕部６０２６の先端に傾斜部６０２６ａを形成している。傾斜部６０２６ａは、腕部６０２６の先端を開口６０１０側に曲げて形成されている。本実施形態では、大型グリップ５０を取り付ける際に、上下のロック部６０２１、６０３３が溝部５０１と係合するよりも先に、第１のロックレバー６０２の腕部６０２６先端に形成された傾斜部６０２６ａが大型グリップ５０の突出部５２１の裏側に入り込む。これによって、大型グリップ５０は、撮像装置本体１０側方向、すなわち、図１２における紙面奥側方向であるグリップ装着方向により強く引き込まれる。この結果、大型グリップ５０を撮像装置本体１０に装着した際に生じるガタを小さくすることができる。
【００８１】
次に、グリップ取り外し動作について、説明を行う。図１７は、グリップ取り外し動作を説明する斜視図である。
【００８２】
本実施形態におけるグリップ取り外し動作は、まず、蓋体７０１を開き、図１７（ａ）に示されるように、バッテリ収納部７０５を露出させる。バッテリ収納部７０５には、バッテリ係止爪７０５２が設けられている。バッテリ係止爪７０５２は、ユーザーの操作により、バッテリ７０２を係止するバッテリ係止状態と、バッテリ７０２を係止しない非係止状態との間で移動可能となっている。
【００８３】
次に、図１７（ｂ）のように、ユーザーの操作により、バッテリ係止爪７０５２を非係止状態とし、バッテリ７０２を取り外すことで図１７（ｃ）の状態となる。
【００８４】
図１７（ｃ）の状態では、第１のロックレバー６０２の操作部６０２０が露出する。図１７（ｃ）の状態にて、ユーザーが操作部６０２０押し込み動作を行うことで、グリップの取り外しが可能となる。
【００８５】
ここで、グリップ装着ユニット６０に形成されている操作部６０２０は、バッテリ５０２が挿入されている状態において、ユーザーが操作できない位置に配置されている。すなわち、バッテリ５０２が挿入された状態において、バッテリ５０２上端より操作部６０２０が低い位置に配置されている。これにより、バッテリ５０２がバッテリ収納部７０５に挿入されている状態では、ユーザーが意図せず操作部６０２０に触れてしまう恐れがないため、グリップが不容易に外されることがない。
【００８６】
図１８は、グリップ取り外し時における撮像装置本体１０の底面図である。図１８（ａ）は撮像装置本体に１０小型グリップ４０が取り付けられている状態で、図１８（ｂ）は図１８（ａ）から操作部６０２０を操作した状態を表している。
【００８７】
図１８（ａ）に示されるように、グリップ４０は、撮像装置本体１０表面からの凸量が限りなく小さい設定となっている。また、グリップ装着ユニット６０は、図１１（ｂ）から図１１（ａ）に移行する取り外し動作によって、板ばね６０５がグリップ４０を押し出す方向に移動する。これにより、図１８（ｂ）に示されるように、グリップ４０が撮像装置本体１０表面から飛び出すように持ち上がることで、装着時には撮像装置本体１０表面からの凸量が限りなく小さいグリップでも、撮像装置本体１０から容易に取り外すことが可能となる。すなわち、グリップ取り外し状態で、ロック部６０２１に設けられた係合突起６０２５の高さ分、グリップが表面から持ち上がることで、小型グリップ４０であっても、ユーザーが指で掴むことが可能となる。
【００８８】
このように、本実施形態のグリップ装着機構では、板ばね６０５が、グリップ排出方向へ変位することで、ロック部６０２１に設けられた係合突起６０２５と係合する。したがって、第１のロックレバー６０２のロック部６０２１および第２のロックレバー６０３のロック部６０３３が、グリップ装着ユニット６０の開口６０１０から退避した開状態で係止される（図１２参照）。グリップ装着ユニット６０の開口６０１０にグリップを挿入することより、板ばね６０５と係合突起６０２５との係合が外れ、グリップが撮像装置本体１０に固定される。グリップ排出時には、板ばね６０５がグリップ排出方向へ変位することで、グリップを表面側に押し出すことができる。これにより、凸量が小さいグリップや、カメラ外観表面と同一面で構成されたグリップキャップを提供することができる。
【００８９】
また、本実施形態のカメラは、開口へのグリップ挿入のみの１アクションでグリップを装着できる。取り外す際には、ユーザーの意図しない取り外しが行われないよう、蓋体７０１を開けて、操作部６０２０を押し込む２アクションという動作によってグリップを取り外すことができる。
【００９０】
以上説明したように、本実施形態では、レンズの交換と同程度の手間で、レンズに合わせた最適なサイズのグリップを選択的に着脱が可能となる。これにより、大型のレンズを使用する際には大型のグリップを、小型のレンズを使用する際には小型のグリップを選択して装着することが可能となる。すなわち、小型かつ最適な把持性能を有する撮像装置を提供することが可能となる。
【００９１】
以上、本発明の好ましい実施形態について説明したが、本発明はこれらの実施形態に限定されず、その要旨の範囲内で種々の変形及び変更が可能である。
【符号の説明】
【００９２】
１０      撮像装置本体
４０      グリップ（グリップ部材）
５０      グリップ（グリップ部材）
６０      グリップ装着ユニット
６０２    第１のロックレバー（ロック部材）
６０３    第２のロックレバー（ロック部材）
６０５    板ばね（保持部材）
６０１０  開口（グリップ装着部）
【図１】
2015118130.tif 000003
【図２】
2015118130.tif 000004
【図３】
2015118130.tif 000005
【図４】
2015118130.tif 000006
【図５】
2015118130.tif 000007
【図６】
2015118130.tif 000008
【図７】
2015118130.tif 000009
【図８】
2015118130.tif 000010
【図９】
2015118130.tif 000011
【図１０】
2015118130.tif 000012
【図１１】
2015118130.tif 000013
【図１２】
2015118130.tif 000014
【図１３】
2015118130.tif 000015
【図１４】
2015118130.tif 000016
【図１５】
2015118130.tif 000017
【図１６】
2015118130.tif 000018
【図１７】
2015118130.tif 000019
【図１８】
2015118130.tif 000020